(57)【要約】      （修正有）【課題】回転操作可能な回転操作部材を有する撮像装置において、回転ダイヤルの回転動作中に、回転信号だけでなく傾き信号まで同時に検出してしまうことによって生じる不用意操作の実行を防止すること。また、撮影条件を設定後、焦点検出動作開始指示もしくは撮像開始指示をするために、回転ダイヤルからレリーズボタンに移行した時に、人差し指が回転ダイヤルに触れてしまうことによる不用意操作の実行を防止すること。【解決手段】回転操作可能な回転操作部材（３）を有する撮像装置（１）において、前記回転操作部材（３）の回転動作を検出するための回転検出機構を有し、前記回転操作部材（３）が、傾いた動作を検出するための傾き検出機構を有しており、前記傾き検出機構の操作信号を検出した場合に、他の操作信号を検出しているかを判断し、優先して実行すべき信号を選択し実行する制御部を備えたことを特徴とする。【選択図】図１
2017173471.tif 000002
【特許請求の範囲】
【請求項１】
情報入力のため回転操作可能な回転操作部材（３）を有する撮像装置（１）において、
前記回転操作部材（３）は、その一部が前記撮像装置本体（１）から突出しており、かつ、前記撮像装置（１）に覆われた部分には、前記回転操作部材（３）の回転動作を検出するための回転検出機構（１１）を有しており、
前記回転操作部材（３）の前記撮像装置（１）に覆われた部分には、前記回転操作部材（３）が、回転面と直交する方向に傾いた操作を検出するための傾き検出機構（１２）を有しており、
前記撮像装置（１）は、前記傾き検出機構（１２）の操作信号を検出した場合に、他の操作信号を検出しているかを判断し、優先して実行すべき信号を選択し実行する制御部（１００）を備えたことを特徴とする撮像装置。
【請求項２】
情報入力のために回転操作可能な回転操作部材（３）を有する撮像装置（１）において、
傾き操作信号と共に他の操作信号を検出した場合には、前記制御部（１００）が他の操作信号を優先的に選択し実行することを特徴とする請求項１に記載の撮像装置。
【発明の詳細な説明】
【技術分野】
【０００１】
本発明は、回転操作と傾き操作の二方向の操作検出が可能なスイッチ付回転操作部材を有する撮像装置における、操作信号の誤検知防止に関する。
【背景技術】
【０００２】
カメラおよびビデオカメラ等といった携帯可能な小型電子機器においては多用な入力手段を小型に配置することが要求されている。例えばカメラ、特に、一眼レフカメラにおいて、カメラの撮影情報をはじめとする各種情報を設定する手段として、ダイヤルの回転方向や回転量に応じて、設定量を変更する回転ダイヤル操作部材を設けたものがある。
【０００３】
この回転ダイヤルは、ファインダを覗いたまま、カメラ本体をしっかりと保持した状態で操作ができることが求められる。また、回転ダイヤルの操作完了後すぐに撮像開始動作指示や焦点検出動作開始指示に移行可能なことも求められている。
【０００４】
このため回転ダイヤルは、必然的にレリーズボタンの近傍で、かつ、右手の人差し指で操作可能な位置に設置されることが多い。
【０００５】
例えば、カメラの露出補正や撮影条件の設定を行う際は、予めシャッタ速度優先・露出優先などの撮影モードを決定しておいたのち、優先される撮影条件（露出優先モードであれば絞り値、シャッタ優先であればシャッタ速度など）を回転ダイヤルで決定する。その上でＩＳＯ感度等の詳細な撮影条件の変更を、各々の機能を割り当てたボタンを押下げた後、回転ダイヤルなどで条件値を決定することで、所望の撮影条件を設定できる。
【０００６】
また、撮影条件の設定と並行して焦点検出領域を変更する場合では、ファインダを覗いた状態で、焦点検出領域選択ボタンを押下げて焦点検出領域選択モードに入る。その上で、選択中の焦点検出領域が構図内の主被写体の位置に合うように回転ダイヤルで焦点検出領域を移動させる。その際に右手の人差し指だけで複数の操作ができるよう、回転操作と共に回転軸と略平行な二方向に傾ける操作が可能な回転ダイヤル構成が知られている（特許文献１）。
【０００７】
特許文献１に記載の構成では、回転ダイヤルの回転軸に対し略平行な二方向の傾きを検出するセンサを回転ダイヤルに搭載することで、回転方向と傾き方向の４方向操作が右手のみでカメラを保持したまま実施可能になるとしている。また、ＩＳＯ感度の変更などの詳細撮影条件設定を回転ダイヤル傾き方向の操作に割り当てることによって、少ない操作で所望の撮影条件に設定することが可能となるとしている。
【先行技術文献】
【特許文献】
【０００８】
【特許文献１】特開２００３−３３８２３６号公報
【発明の概要】
【発明が解決しようとする課題】
【０００９】
特許文献１に記載の構成により、回転方向と傾き方向の４方向操作を少ない動作で行うことが可能となったため、ユーザーがシャッタチャンスを逃してしまう可能性を低減することが可能となった。
【００１０】
しかしながら、図７（Ａ）のように回転ダイヤル８００が設置されている場合、回転ダイヤル８００の回転面Ｙに対して、右手人差し指８５０は角度βだけ傾いた状態となる。このため、特許文献１に記載の構成では、図７（Ｂ）のように回転ダイヤル８００を撮影者側から見て時計回り（矢印Ｒ）に回転操作させる場合、右手の人差し指８５０を回転面から撮影者側（矢印Ｔ）にやや押し付けた状態で回転ダイヤル８００を回転させてしまう。同様に、回転ダイヤル８００を撮影者側から見て反時計回り（矢印Ｓ）に回転操作させる場合には、回転ダイヤル８００をやや被写体側（矢印Ｕ）に押し付けながら回転させてしまう。そのため、回転操作信号だけでなく傾き操作信号まで同時に検出してしまい、ユーザーは回転操作のみを行っているつもりでも、傾き操作信号による操作が実行されてしまうことがあった。
【００１１】
また、図８（Ａ）および図８（Ｂ）のように、撮影条件を設定後、焦点検出動作開始指示もしくは撮像開始指示をするために、右手の人差し指８５０を回転ダイヤル８００からレリーズボタン８０１に移動した場合には、人差し指８５０が回転ダイヤル８００に触れてしまい、傾き信号による操作が実行されてしまうこともあった。
【００１２】
そこで、本発明の目的は、情報入力のため回転操作可能な回転操作部材を有する撮像装置において、回転ダイヤルの回転動作中に、回転信号だけでなく傾き信号まで同時に検出してしまうことによって生じる不用意操作の実行を防止することである。加えて、撮影条件を設定後、焦点検出動作開始指示もしくは撮像開始指示をするために、右手の人差し指を回転ダイヤルからレリーズボタンに移行した時に、人差し指が回転ダイヤルに触れてしまうことによる不用意操作の実行も防止することである。
【課題を解決するための手段】
【００１３】
上記の目的を達成するために、本発明に係る撮像装置は、
情報入力のためにエンドレスに回転操作可能な回転操作部材を有する撮像装置において、
前記回転操作部材は、その一部が前記撮像装置本体から突出しており、かつ、前記撮像装置に覆われた部分には、前記回転操作部材の回転動作を検出するための回転検出機構を有しており、
前記回転操作部材の前記撮像装置に覆われた部分には、前記回転操作部材が、回転面と略直交する方向に傾いた動作を検出するための傾き検出機構を有しており、
前記撮像装置は、前記傾き検出機構の操作信号を検出した場合に、他の操作信号を検出しているかを判断し、優先して実行すべき信号を選択し実行する制御部を備えたことを特徴とする。
【発明の効果】
【００１４】
本発明によれば、情報入力のため回転操作可能な回転操作部材を有する撮像装置において、回転ダイヤルの回転動作中に、回転信号だけでなく傾き信号まで同時に検出してしまうことによって生じる不用意操作の実行を防止することが可能となる。また、撮影条件を設定後、焦点検出動作開始指示もしくは撮像開始指示をする際に、右手の人差し指が回転ダイヤルに触れてしまうことによる不用意操作の実行を防止することも可能となる。
【図面の簡単な説明】
【００１５】
【図１】本発明の実施形態である情報入力装置を備えたデジタル一眼レフカメラを上面側および撮影者側から見た図である。
【図２】本発明の実施形態である情報入力装置を備えたデジタル一眼レフカメラの主要な電気的構成を示すブロック図である。
【図３】本発明の実施形態である情報入力装置を備えたデジタル一眼レフカメラを側面から見た図および情報入力装置中心位置での断面図である。
【図４】本発明の実施形態である情報入力装置を備えたデジタル一眼レフカメラで撮影者がファインダから被写体を観察した様子である。
【図５】本発明の実施形態である情報入力装置を回転操作した時の信号処理の流れの概略を示したフローチャートである。
【図６】本発明の実施形態である情報入力装置を傾き操作した時の信号処理の流れの概略を示したフローチャートである。
【図７】従来のデジタル一眼レフカメラを上面側および側面から見た図である。
【図８】従来のデジタル一眼レフカメラを上面側および側面から見た図である。
【発明を実施するための形態】
【００１６】
以下に、本発明の好ましい実施の形態を、添付の図面に基づいて詳細に説明する。
【実施例１】
【００１７】
以下、本発明の第１の実施例について図面を参照しながら説明する。
【００１８】
図１（Ａ）は本発明の実施形態の一例であるデジタル一眼レフカメラを上面側から見た図であり、図１（Ｂ）は本発明の実施形態の一例であるデジタル一眼レフカメラを撮影者側から見た図である。
【００１９】
図１（Ａ）に示すように、本実施形態のデジタル一眼レフカメラは、カメラ本体１の撮影者側から見て右側の外装を撮影時にユーザーが把持するグリップ部５０としている。グリップ部５０を把持したユーザーの人差し指５１に近い位置には、レリーズボタン２およびメインダイヤル３が設けられている。カメラ本体１の上面部にはその他にモード選択ダイヤル４、ドライブモード変更ボタン５が設けられている。ここで、メインダイヤル３は本発明の回転操作部材に相当する。
【００２０】
モード選択ダイヤル４は、シャッタ速度優先モード・絞り優先モードなどの撮影モードを変更する際に操作するモードダイヤル部４ａと、カメラ本体１の電源をＯＮ／ＯＦＦ操作する電源レバー４ｂを備えている。
【００２１】
また、図１（Ｂ）に示すように、本実施形態のデジタル一眼レフカメラの撮影者側の側面には覗き込み検出部６が設けられている。
【００２２】
図２は本実施の形態に係るデジタル一眼レフカメラの主要な電気的構成を示すブロック図である。
【００２３】
カメラ本体１に内蔵されたマイクロコンピュータからなる中央処理装置（以下、「ＭＰＵ」と称する）１００は、カメラの動作制御を司るものであり、各要素に対して様々な処理や指示を実行する。ここで、ＭＰＵ１００は本発明の制御部に相当する。ＭＰＵ１００に内蔵されたＥＥＰＲＯＭ１００ａは、時刻計測回路１０９の計時情報やその他の情報を記憶することができる。
【００２４】
ＭＰＵ１００には、ミラー駆動回路１０１、焦点検出回路１０２、シャッタ駆動回路１０３、映像信号処理回路１０４、スイッチセンス回路１０５、測光回路１０６、ストロボ駆動回路１１３が接続されている。ストロボ駆動回路１１３により、ストロボユニット７０４の動作が制御される。さらにＭＰＵ１００には、液晶表示駆動回路１０７、バッテリーチェック回路１０８、時刻計測回路１０９、電力供給回路１１０、圧電素子駆動回路１１１が接続されている。これらの回路は、ＭＰＵ１００の制御により動作するものである。
【００２５】
ＭＰＵ１００は、撮影レンズユニット２００ａ内のレンズ制御回路２０１とマウント接点７０７を介して通信を行う。マウント接点７０７は、撮影レンズユニット２００ａが接続されるとＭＰＵ１００へ信号を送信する機能も有する。これにより、レンズ制御回路２０１は、ＭＰＵ１００との間で通信を行い、ＡＦ駆動回路２０２及び絞り駆動回路２０３を介して撮影レンズユニット２００ａ内の撮影レンズ２００及び絞り２０４の駆動を行う。なお、図２では便宜上１枚の撮影レンズ２００のみを図示しているが、実際は多数のレンズ群によって構成される。
【００２６】
ＡＦ駆動回路２０２は、例えばステッピングモータによって構成され、レンズ制御回路２０１の制御により撮影レンズ２００内のフォーカスレンズ位置を変化させ、撮像素子３３に撮影光束の焦点を合わせるように調整する。
【００２７】
絞り駆動回路２０３は、例えばオートアイリス等によって構成され、レンズ制御回路２０１の制御により絞り２０４を変化させ、光学的な絞り値を得る。
【００２８】
メインミラー７１２は、図２に示す撮影光軸６０に対して４５°の角度に保持された状態で、撮影レンズ２００を通過する撮影光束をペンタダハミラー２２へ導くと共に、その一部を透過させてサブミラー３０へ導く。サブミラー３０は、メインミラー７１２を透過した撮影光束を焦点検出センサユニット３１へ導く。
【００２９】
ミラー駆動回路１０１は、例えばＤＣモータとギヤトレイン等によって構成され、メインミラー７１２を、ファインダ７により被写体像を観察可能とする位置と、撮影光束から待避する位置とに駆動する。メインミラー７１２が駆動すると、同時にサブミラー３０も、焦点検出センサユニット３１へ撮影光束を導く位置と、撮影光束から待避する位置とに移動する。
【００３０】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。
【００３１】
焦点検出センサユニット３１から出力される信号は、焦点検出回路１０２へ供給され、被写体像信号に換算された後、ＭＰＵ１００に送信される。ＭＰＵ１００は、被写体像信号に基づいて位相差検出法による焦点検出演算を行う。そして、デフォーカス量及びデフォーカス方向を求め、これに基づいて、レンズ制御回路２０１及びＡＦ駆動回路２０２を介して撮影レンズ２００内のフォーカスレンズを合焦位置まで駆動する。
【００３２】
ペンタダハミラー２２は、メインミラー７１２により反射された撮影光束を正立正像に変換反射する。撮影者はファインダ光学系を介してファインダ７から被写体像を観察することができる。ペンタダハミラー２２は、撮影光束の一部を測光センサ４６へも導く。測光回路１０６は、測光センサ４６の出力を得て、観察面上の各エリアの輝度信号に変換し、ＭＰＵ１００に出力する。ＭＰＵ１００は、輝度信号に基づいて露出値を算出する。
【００３３】
シャッタユニット（機械フォーカルプレーンシャッタ）３２は、撮影者がファインダ７により被写体像を観察している時には、シャッタ先幕が遮光位置にあると共に、シャッタ後幕が露光位置にある。次いで、撮影時には、シャッタ先幕が遮光位置から露光位置へ移動する露光走行を行って被写体からの光を通過させ、撮像素子３３で撮像を行う。所望のシャッタ秒時の経過後、シャッタ後幕が露光位置から遮光位置へ移動する遮光走行を行って撮影を完了する。
【００３４】
機械フォーカルプレーンシャッタ３２は、ＭＰＵ１００の指令を受けたシャッタ駆動回路１０３により制御される。
【００３５】
撮像ユニット４００は、主に光学ローパスフィルタ４１０、圧電部材である圧電素子４３０、撮像素子３３がユニット化されたものである。撮像素子３３は、被写体像を光電変換するものであり、本実施の形態ではＣＭＯＳセンサが用いられるが、その他にもＣＣＤ型、ＣＭＯＳ型及びＣＩＤ型等様々な形態があり、いずれの形態の撮整像デバイスを採用してもよい。
【００３６】
撮像素子３３の前方に配置された光学ローパスフィルタ４１０は、水晶からなる１枚の複屈折板であり、その形状は矩形状である。
【００３７】
圧電素子４３０は、単板の圧電素子（ピエゾ素子）であり、ＭＰＵ１００の指示を受けた圧電素子駆動回路１１１により加振され、その振動を光学ローパスフィルタ４１０に伝えるように構成されている。
【００３８】
クランプ／ＣＤＳ（相関二重サンプリング）回路３４は、Ａ／Ｄ変換する前の基本的なアナログ処理を行うものであり、クランプレベルを変更することも可能である。
【００３９】
ＡＧＣ（自動利得調整装置）３５は、Ａ／Ｄ変換する前の基本的なアナログ処理を行うものであり、ＡＧＣ基本レベルを変更することも可能である。
【００４０】
Ａ／Ｄ変換器３６は、撮像素子３３のアナログ出力信号をデジタル信号に変換する。
【００４１】
映像信号処理回路１０４は、デジタル化された画像データに対してガンマ／ニー処理、フィルタ処理、モニタ表示用の情報合成処理等、ハードウエアによる画像処理全般を実行する。この映像信号処理回路１０４からのモニタ表示用の画像データは、カラー液晶駆動回路１１２を介してカラー液晶モニタ１７に表示される。また、映像信号処理回路１０４は、ＭＰＵ１００の指示に従って、メモリコントローラ３８を通じてバッファメモリ３７に画像データを保存することもできる。さらに、映像信号処理回路１０４は、ＪＰＥＧ等の画像データ圧縮処理を行うこともできる。連写撮影等、連続して撮影が行われる場合は、一旦バッファメモリ３７に画像データを格納し、メモリコントローラ３８を通して未処理の画像データを順次読み出すこともできる。これにより、映像信号処理回路１０４は、Ａ／Ｄ変換器３６から入力されてくる画像データの速度に関わらず、画像処理や圧縮処理を順次行うことができる。
【００４２】
メモリコントローラ３８は、外部インタフェース４０から入力される画像データを外部メモリ３９に記憶し、外部メモリ３９に記憶されている画像データを外部インタフェース４０から出力する機能を有する。外部メモリ３９としては、カメラ本体に着脱可能なフラッシュメモリ等が用いられる。
【００４３】
スイッチセンス回路１０５は、各スイッチの操作状態に応じて入力信号をＭＰＵ１００に送信する。スイッチＳＷ１（７１０ａ）は、レリーズボタン２の第１ストローク（半押し）によりＯＮする。スイッチＳＷ２（７１０ｂ）は、レリーズボタン２の第２ストローク（全押し）によりＯＮする。スイッチＳＷ２（７１０ｂ）がＯＮされると、撮影開始の指示がＭＰＵ１００に送信される。さらに、スイッチセンス回路１０５には、メインダイヤル３、モードダイヤル部４ａ、電源レバー４ｂ、覗き込み検出部６が接続されている。
液晶表示駆動回路１０７は、ＭＰＵ１００の指示に従って、ファインダ内液晶表示１０を駆動する。
【００４４】
バッテリーチェック回路１０８は、ＭＰＵ１００の指示に従って、バッテリーチェックを行い、その検出結果をＭＰＵ１００に送信する。
【００４５】
電源４２は、カメラの各要素に対して電源を供給する。
【００４６】
時刻計測回路１０９は、電源レバー４ｂがＯＦＦされて次にＯＮされるまでの時間や日付を計測し、ＭＰＵ１００からの指示に従って、計測結果をＭＰＵ１００に送信する。
【００４７】
図３は本発明の実施形態の一例であるデジタル一眼レフカメラを側面（撮影者側から見て右側面）から見た図とメインダイヤル中心位置での断面図である。
【００４８】
図３（Ａ）に示すように、メインダイヤル３はその一部がカメラ本体１よりも突出しており、メインダイヤル３を回転および傾き操作しやすくなっている。また、図３（Ｂ）に示すように、カメラ本体１に覆われた内部には、メインダイヤル３の回転操作によって回転操作信号を発生させる回転検出機構１１および、メインダイヤル３の傾き操作によって傾き操作信号を発生させる傾き検出機構１２が設置されている。
【００４９】
メインダイヤル３は、カメラ本体１内に覆われた回転軸３ａを中心として、撮影者側から見て時計回り・反時計回りに回転操作することが可能である。また、回転軸３ａを中心にメインダイヤル３の露出部を回転面Ｙと略直交する方向Ｚ、−Ｚへ傾ける操作が可能となっている。
【００５０】
回転検出機構１１は、メインダイヤル３に取り付けられた複数の接点部を有する金属接片からなり、接点部がフレキシブル基板１３のパターンを通過することで回転操作信号を生成する。
【００５１】
傾き検出機構１２は、メインダイヤル３の回転軸３ａに取り付けられた金属接片からなる。メインダイヤル３が傾けられると、金属接片がプッシュスイッチを押し込むことで傾き操作信号が生成される。具体的な構成、形状等については特開２００３−３３８２３６号公報で公知のため、ここでの詳細な説明は省略する。
【００５２】
覗き込み検出部６は、ファインダ７の下部に設置され、ユーザーがファインダ７を覗き込んでいるか否かを検出する。その検出結果はスイッチセンス回路１０５を通じてＭＰＵ１００に送信される。
【００５３】
撮影時には、モードダイヤル部４ａを回転させることで、ユーザーが所望する撮影条件に合わせた撮影モードを選択する。その後、所望の条件設定値になるまでメインダイヤル３を回転させることにより撮影条件を設定する。例えば、モードダイヤル部４ａを絞り優先モードに設定した場合、メインダイヤル３を回転させると、装着されたレンズに応じて決められた範囲の中で、ユーザーが所望する任意の絞り値に設定することができる。同様に、モードダイヤル部４ａをシャッタ速度優先モードに設定した場合は、メインダイヤル３を回転することで任意のシャッタ秒時に設定することができる。
【００５４】
ドライブモード変更ボタン５を押下すると連写および撮影時のセルフタイマー秒時設定が変更できるようになる。この時にメインダイヤル３を回転させることで、連写の有無もしくはセルフタイマー秒時を選択する。
【００５５】
この時、覗き込み検出部６によって、ユーザーがファインダ７を覗いていることが検出されていると、ＭＰＵ１００によってメインダイヤル３の傾き操作が有効化される。その場合、メインダイヤル３を回転面と略直交する方向に傾けるとＩＳＯ感度の設定変更ができるようになる。
【００５６】
この時、予めカメラ本体１で決められた範囲の中で、メインダイヤル３を傾ける方向に合わせてＩＳＯ感度の数値が順次切り替わっていき、ユーザーが所望する任意の値に設定することができる。
【００５７】
図４はユーザーがファインダ７から被写体を観察した際のファインダ７内での表示例を示した図である。
【００５８】
図４において、撮影画面８には、被写体像が表示されるとともに、複数の焦点検出領域９ａ〜９ｋが表示され、これらの焦点検出領域９ａ〜９ｋのうちいずれか一つの焦点検出領域の被写体にピントが合わせられる。
【００５９】
撮影画面８の下方には、ファインダ内液晶表示１０が表示される。ファインダ内液晶表示１０は、シャッタ秒時を示すシャッタ秒時表示部１０ａ、絞り値を示す絞り表示部１０ｂ、適正露出に対するシフト量を示すシフト量表示部１０ｃ、シフト量の指標となる指標部１０ｄ、及び合焦表示部１０ｅにより構成される。合焦表示部１０ｅは、点灯することでユーザーに被写体が合焦したことを知らせる。
【００６０】
このとき覗き込み検出部６によって、ユーザーがファインダ７を覗いていることが検出されているため、ＭＰＵ１００によってメインダイヤル３の傾き操作が有効化されている。また、ファインダ７を覗いているユーザーがカラー液晶モニタ１７の照明によって眩しさを感じないように、覗き込み検出部６によって覗き込みを検出した場合は、ＭＰＵ１００がカラー液晶モニタ１７を消灯する。
【００６１】
まず、ユーザーが焦点検出領域選択ボタン１４を押すと、ファインダ７内に表示される焦点検出領域９ａ〜９ｋのうちで現在選択されている焦点検出領域、例えば中央の焦点検出領域９ｆが点灯してユーザーに知らせる。
【００６２】
焦点検出領域を変更する場合は、メインダイヤル３を操作することにより、合焦させたい被写体に対応する焦点検出領域を選択する。メインダイヤル３を回転操作すると、回転する方向に合わせて焦点検出領域が左右に回転クリック数だけ移動する。また、メインダイヤル３を回転面と略直交する方向に傾けると、傾けた方向に合わせて焦点検出領域が上下に移動する。
【００６３】
具体的には、例えば焦点検出領域９ｆが選択されている状態で、メインダイヤル３を撮影者側から見て反時計まわりに１クリック分回転操作すると焦点検出領域９ｅに移動する。同様に、焦点検出領域を９ｆから９ｈに移動したい場合は、メインダイヤル３を撮影者側から見て時計回りに２クリック分回転操作する。また、焦点検出領域を９ｆから９ｊに移動したい場合は、メインダイヤル３を撮影者側に１回傾ける。この時、メインダイヤル３をある閾値よりも長い秒数傾け続けることで、焦点検出領域が順次上下方向に移動していくようにしてもよい。
【００６４】
回転検出機構１１および傾き検出機構１２によって発せられた信号はそれぞれフレキシブル基板１３、スイッチセンス回路１０５を通じてＭＰＵ１００に伝達され、各々に合わせた操作が実行される。
【００６５】
図３（Ａ）に示すように、メインダイヤル３を操作する際は、メインダイヤル３の回転面Ｙに対して、右手人差し指５１は角度αだけ傾いた状態で操作を行う。このため、メインダイヤル３を回転させようとすると、メインダイヤル３の回転面Ｙと略直交する方向Ｚ、−Ｚにも力が加わってしまい、回転操作信号と共に、ユーザーが意図していない傾き操作信号もＭＰＵ１００に伝達されてしまう。このため、ＭＰＵ１００は、回転操作および傾き操作を実行する前に信号の選択制御を行う。
【００６６】
図５は本発明の実施形態の一例であるデジタル一眼レフカメラのメインダイヤル３を回転操作した時の信号処理の流れの概略を示したフローチャートである。
【００６７】
まずステップ５０１で、ユーザーがファインダ７を覗いているか否かを覗き込み検出部６によって判断する。覗き込みを検出していなければ、ＭＰＵ１００はメインダイヤル３の傾き操作を無効化し処理は終了する（ステップ５０２）。覗き込みを検出している場合は、ＭＰＵ１００でメインダイヤル３の傾き操作を有効化し（ステップ５０３）、現在選択されている焦点検出領域を点灯する（ステップ５０４）。
【００６８】
次に、ステップ５０５でメインダイヤル３の回転操作信号を検出しているか否かを判定する。メインダイヤル３の回転操作信号を検出している場合はステップ５０６に移行し、メインダイヤル３の傾き操作信号を検出しているかどうかを判定する。
【００６９】
ステップ５０６でメインダイヤル３の傾き操作信号を検出している場合は、ＭＰＵ１００が傾き操作信号をキャンセルして回転操作信号を実行、焦点検出領域が移動し点灯する（ステップ５０７）。この時、傾き操作信号をキャンセルすることで、ユーザーが意図していない傾き操作信号の実行を防止することが可能となる。ステップ５０６で傾き操作信号を検出していなければ、ＭＰＵ１００はそのまま回転操作を実行し、焦点検出領域が移動し点灯する（ステップ５０８）。
【００７０】
その後ステップ５０９で回転操作信号が引き続き検出されている間はステップ５０６からステップ５０９を繰り返し、メインダイヤル３の回転操作が終了すると処理終了となる。
【００７１】
ユーザーが撮影条件設定を決定した後、撮像を開始するため、右手人差し指５１をメインダイヤル３からレリーズボタン２に移動する。この時、人差し指５１がメインダイヤル３に触れてしまった場合の信号処理の流れの概略を示したのが図６のフローチャートである。
【００７２】
まず、ステップ６０１でレリーズボタン２の撮影準備動作開始指示であるスイッチＳＷ１（７１０ａ）が操作されたか否かを判定する。ここで、撮影準備動作とは被写体までの測距演算の開始動作、構図内の露出値演算の開始動作などを含む。
【００７３】
ステップ６０１でＳＷ１（７１０ａ）が実行されていれば、測距演算および露出値演算を開始する（ステップ６０２）。
【００７４】
この後、ステップ６０３でメインダイヤル３の傾き操作信号を検出しているか否かを判定し、傾き操作信号を検出していれば、ＭＰＵ１００は傾き操作信号をキャンセルする（ステップ６０４）。これによりユーザーが意図していない傾き操作信号の実行を防止することが可能となる。
【００７５】
次に、ステップ６０５で撮像開始指示であるスイッチＳＷ２（７１０ｂ）が操作されたか否かを判定し、ＳＷ２（７１０ｂ）が操作されていればステップ６０６で撮像を開始し処理は終了となる。ここでＳＷ２（７１０ｂ）が操作されていなければ、ステップ６０３からステップ６０５までを繰り返す。
【００７６】
以上説明したように、本実施形態では、メインダイヤル３におけるユーザーの不用意な傾き操作の実行を防止することが可能となる。
【００７７】
また、本発明の構成は、上記実施形態に例示したものに限定されるものではなく、材質、形状、寸法、形態、数、配置箇所等は、本発明の要旨を逸脱しない範囲において適宜変更可能である。
【００７８】
以上、本発明の好ましい実施形態について説明したが、本発明はこれらの実施形態に限定されず、その要旨の範囲内で種々の変形及び変更が可能である。
【符号の説明】
【００７９】
１  カメラ本体、３  メインダイヤル、１１  回転検出機構、１２  傾き検出機構、
１００  ＭＰＵ
【図１】
2017173471.tif 000003
【図２】
2017173471.tif 000004
【図３】
2017173471.tif 000005
【図４】
2017173471.tif 000006
【図５】
2017173471.tif 000007
【図６】
2017173471.tif 000008
【図７】
2017173471.tif 000009
【図８】
2017173471.tif 000010